(57)【要約】      （修正有）【課題】建造物内で吊り下げられて配設される配管を適切に支持することができる配管支持部材及び配管支持構造を提供する。【解決手段】配管の周面に装着されて配管を建造物内で吊り下げる吊下部材に取り付けられて配管の長尺方向Ｌにおいて配管を下方から支持する配管支持部材１０において、配管の長尺方向Ｌに延在する支持プレート２０、支持プレート２０における配管の長尺方向Ｌの中央位置Ｃから偏位して形成される基部３０、基部３０を起点として支持プレート２０から離間して支持プレート２０における配管の長尺方向Ｌの一方側に向かって延在する第１係合部３１、基部３０を起点として支持プレート２０から離間して支持プレート２０における配管の長尺方向Ｌの他方側に向かって延在する第２係合部３３を備える。【選択図】図１
2018115740.tif 000002
【特許請求の範囲】
【請求項１】
配管の周面に装着されて該配管を建造物内で吊り下げる吊下部材に取り付けられて前記配管の長尺方向において該配管を下方から支持する配管支持部材において、
前記配管の長尺方向に延在する支持プレートと、
該支持プレートにおける前記配管の長尺方向の中央位置から偏位して形成される基部と、
該基部を起点として前記支持プレートから離間して該支持プレートにおける前記配管の長尺方向の一方側に向かって延在する第１係合部と、
前記基部を起点として前記支持プレートから離間して該支持プレートにおける前記配管の長尺方向の他方側に向かって延在して前記第１係合部と離反する第２係合部と、を備え、
前記第１係合部と前記支持プレートとの間あるいは前記第２係合部と前記支持プレートとの間に前記吊下部材が差し込まれることによって前記支持プレートが前記吊下部材に取り付けられることを特徴とする配管支持部材。
【請求項２】
前記支持プレートは、
前記第１係合部の先端側が前記支持プレートの幅方向に可動されて前記先端において前記第１係合部が係止される第１係止部と、
前記第２係合部の先端側が前記支持プレートの幅方向に可動されて前記先端において前記第２係合部が係止される第２係止部と、
を備えることを特徴とする請求項１に記載の配管支持部材。
【請求項３】
前記支持プレートは、
前記配管の長尺方向に延在する両端縁を有し、
該両端縁において互いに対向して凹状に形成され、前記第１係合部と前記支持プレートとの間あるいは前記第２係合部と前記支持プレートとの間に前記吊下部材が差し込まれる際に該吊下部材をガイドするガイド部を備えることを特徴とする請求項１または２に記載の配管支持部材。
【請求項４】
配管の周面に装着されて該配管を建造物内で吊り下げる吊下部材、及び該吊下部材に取り付けられて前記配管の長尺方向において該配管を下方から支持する配管支持部材を備える配管支持構造において、
該配管支持部材は、
前記配管の長尺方向に延在する支持プレートと、
該支持プレートにおける前記配管の長尺方向の中央位置から偏位して形成される基部と、
該基部を起点として前記支持プレートから離間して該支持プレートにおける前記配管の長尺方向の一方側に向かって延在する第１係合部と、
前記基部を起点として前記支持プレートから離間して該支持プレートにおける前記配管の長尺方向の他方側に向かって延在して前記第１係合部と離反する第２係合部と、を有し、
前記第１係合部と前記支持プレートとの間あるいは前記第２係合部と前記支持プレートとの間に前記吊下部材が差し込まれることによって前記支持プレートが前記吊下部材に取り付けられることを特徴とする配管支持構造。
【発明の詳細な説明】
【技術分野】
【０００１】
本発明は、配管支持部材及び配管支持構造、特に、配管の周面に装着されて配管を建造物内で吊下げる吊下部材に取り付けられ、配管の長尺方向において配管を下方から支持する配管支持部材、及びこの配管支持部材を用いた配管支持構造に関する。
【背景技術】
【０００２】
建造物に配設される配管は、一般的に、配管支持部材によって支持されて建造物に配設される。このような配管のうち、例えば、空調装置の配管が建造物内で吊り下げられて配設されるような場合は、配管の周面に装着される吊金具、及び吊金具に取り付けられて配管を下方から支持する配管支持部材が用いられる。
【０００３】
特許文献１には、配管の長尺方向において配管を下方から支持する配管支持部材が開示されている。この配管支持部材を、配管支持部材の概略を説明する図６（ａ）及び（ｂ）に基づいて説明する。
【０００４】
図６（ａ）は、配管支持部材の概略を説明する平面図であり、図６（ｂ）は、図６（ａ）のＶＩ−ＶＩ線断面図である。
【０００５】
図６（ａ）及び（ｂ）で示すように、配管支持部材１００は、配管の長尺方向に延在する平面視略矩形の支持プレート１０１、支持プレート１０１の略中央部分に設けられて支持プレート１０１との間で吊金具を配管の長尺方向から係入可能な係合空間Ｓを形成する一対の差込み係合体１０２、１０２、及び支持プレート１０１に形成されて吊金具を支持プレート１０１の表面に沿って係合空間Ｓ内に係入して案内する係入ガイド部１０３を主要構成として備える。
【０００６】
係入ガイド部１０３の案内によって、吊金具が係合空間Ｓ内に係入されると、一対の差込み係合体１０２、１０２が支持プレート１０１から離間する側に弾性変形して、支持プレート１０１と一対の差込み係合体１０２、１０２との間で吊金具を挟持することによって、配管支持部材１００が吊金具に取り付けられる。
【０００７】
これにより、配管はその長尺方向において、配管支持部材１００によって下方から支持される。
【先行技術文献】
【特許文献】
【０００８】
【特許文献１】特許第５０８１７６５号公報
【発明の概要】
【発明が解決しようとする課題】
【０００９】
ところで、図７で示すような、配管１１０が下方や側方等に屈曲する部分は、鉛直方向への配管１１０の自重や配管１１０の断面形状の急変によって過大な負荷が付与される部分であることから、この屈曲する部分に吊金具１２０をより近接させた矢線ｘで示す位置において、配管１１０を支持することが好ましい。
【００１０】
しかし、特許文献１の配管支持部材１００によれば、吊金具１２０を支持プレート１０１との間で挟持する一対の差込み係合体１０２、１０２が、支持プレート１０１の略中央部分に設けられていることから、配管支持部材１００における吊金具１２０の取付位置は、配管支持部材１００の略中央部分となる。
【００１１】
そうすると、この配管支持部材１００によれば、配管１１０の屈曲する部分から離間した矢線ｙで示す位置に吊金具１２０を位置決めせざるを得なくなることから、配管１１０が下方に屈曲する部分に過大な負荷が付与されることが想定され、この部分の配管１１０が早期に劣化してしまうことが懸念される。
【００１２】
本発明は、上記事情に鑑みてなされたものであり、建造物内で吊り下げられて配設される配管を適切に支持することができる配管支持部材及び配管支持構造を提供することを課題とするものである。
【課題を解決するための手段】
【００１３】
上記課題を解決するための請求項１に記載の発明による配管支持部材は、配管の周面に装着されて該配管を建造物内で吊り下げる吊下部材に取り付けられて前記配管の長尺方向において該配管を下方から支持する配管支持部材において、前記配管の長尺方向に延在する支持プレートと、該支持プレートにおける前記配管の長尺方向の中央位置から偏位して形成される基部と、該基部を起点として前記支持プレートから離間して該支持プレートにおける前記配管の長尺方向の一方側に向かって延在する第１係合部と、前記基部を起点として前記支持プレートから離間して該支持プレートにおける前記配管の長尺方向の他方側に向かって延在して前記第１係合部と離反する第２係合部と、を備え、前記第１係合部と前記支持プレートとの間あるいは前記第２係合部と前記支持プレートとの間に前記吊下部材が差し込まれることによって前記支持プレートが前記吊下部材に取り付けられることを特徴とする。
【００１４】
この構成によれば、第１係合部と支持プレートとの間隙、あるいは第２係合部と支持プレートとの間隙に、吊下部材を差し込むことによって、配管支持部材を吊下部材に容易に取り付けることができる。
【００１５】
さらに、支持プレートにおける配管の長尺方向の中央位置から偏位して基部が形成され、この基部を起点として長尺方向の一方側に延在する第１係合部が形成されていることから、配管支持部材が第１係合部において吊下部材に取り付けられることによって、配管支持部材の吊下部材への取付位置を一方側に近接させた状態で、配管支持部材によって配管を下方から支持することができる。
【００１６】
これにより、鉛直方向への配管の自重や断面形状が急変することによって過大な負荷が付与される部分である、配管が屈曲する部分を適切に支持することができることから、この部分の配管が負荷によって劣化することを抑制することができる。
【００１７】
請求項２に記載の発明による配管支持部材は、請求項１に記載の配管支持部材において、前記支持プレートは、前記第１係合部の先端側が前記支持プレートの幅方向に可動されて前記先端において前記第１係合部が係止される第１係止部と、前記第２係合部の先端側が前記支持プレートの幅方向に可動されて前記先端において前記第２係合部が係止される第２係止部と、を備えることを特徴とする。
【００１８】
この構成によれば、第１係合部の先端を幅方向に可動させて第１係合部の先端を第１係止部に係止させることができ、かつ第２係合部の先端を幅方向に可動させて第２係合部の先端を第２係止部に係止させることができる。
【００１９】
したがって、第１係合部と支持プレートとの間隙、あるいは第２係合部と支持プレートとの間隙に吊下部材が差し込まれている際に、第１係合部の先端を第１係止部に係止させる、あるいは第２係合部の先端を第２係止部に係止させることによって、吊下部材が強固に固定される。
【００２０】
請求項３に記載の発明による配管支持部材は、請求項１または２に記載の配管支持部材において、前記支持プレートは、前記配管の長尺方向に延在する両端縁を有し、該両端縁において互いに対向して凹状に形成され、前記第１係合部と前記支持プレートとの間あるいは前記第２係合部と前記支持プレートとの間に前記吊下部材が差し込まれる際に該吊下部材をガイドするガイド部を備えることを特徴とする。
【００２１】
この構成によれば、支持プレートは、配管の長尺方向に延在する両端縁において互いに対向して凹状に形成されたガイド部を備え、第１係合部と支持プレートとの間、あるいは第２係合部と支持プレートとの間に吊下部材が差し込まれると、吊下部材が支持プレートのガイド部にガイドされて位置決めされる。これにより、配管支持部材による配管の下方からの支持状態が、配管の軸方向に偏位することが抑制される。
【００２２】
上記課題を解決するための請求項４に記載の発明による配管支持構造は、配管の周面に装着されて該配管を建造物内で吊り下げる吊下部材、及び該吊下部材に取り付けられて前記配管の長尺方向において該配管を下方から支持する配管支持部材を備える配管支持構造において、該配管支持部材は、前記配管の長尺方向に延在する支持プレートと、該支持プレートにおける前記配管の長尺方向の中央位置から偏位して形成される基部と、該基部を起点として前記支持プレートから離間して該支持プレートにおける前記配管の長尺方向の一方側に向かって延在する第１係合部と、前記基部を起点として前記支持プレートから離間して該支持プレートにおける前記配管の長尺方向の他方側に向かって延在して前記第１係合部と離反する第２係合部と、を有し、前記第１係合部と前記支持プレートとの間あるいは前記第２係合部と前記支持プレートとの間に前記吊下部材が差し込まれることによって前記支持プレートが前記吊下部材に取り付けられることを特徴とする。
【００２３】
この構成によれば、第１係合部と支持プレートとの間隙、あるいは第２係合部と支持プレートとの間隙に、吊下部材を差し込むことによって、配管支持部材を吊下部材に容易に取り付けることができることから、配管支持構造を設置する作業を容易に実行することができる。
【００２４】
さらに、支持プレートにおける配管の長尺方向の中央位置から偏位して基部が形成され、この基部を起点として長尺方向の一方側に延在する第１係合部が形成されていることから、配管支持部材が第１係合部において吊下部材に取り付けられることによって、配管支持部材の吊下部材への取付位置を一方側に近接させた状態で、配管支持部材によって配管を下方から支持することができる。
【００２５】
これにより、鉛直方向への配管の自重や断面形状が急変することによって過大な負荷が付与される部分である、配管が屈曲する部分を適切に支持することができることから、この部分の配管が負荷によって劣化することを抑制することができる。
【発明の効果】
【００２６】
この発明によると、建造物内で吊り下げられて配設される配管を適切に支持することができる。特に、過大な負荷が付与される部分である、配管が屈曲する部分を適切に支持することができることから、この部分の配管が早期に劣化することを抑制することができる。
【図面の簡単な説明】
【００２７】
【図１】本発明の実施の形態に係る配管支持部材の概略を説明する平面図である。
【図２】同じく、本実施の形態に係る配管支持部材の概略を説明する図であり、（ａ）は図１のＡ矢視図、（ｂ）は図１のＢ矢視図である。
【図３】同じく、本実施の形態に係る吊下部材の概略を説明するとともに、吊下部材に配管支持部材を取り付ける概略を説明する図である。
【図４】同じく、本実施の形態に係る配管支持構造によって、配管が建造物内で吊り下げられて配設された状態の概略を説明する側面図である。
【図５】同じく、本実施の形態に係る配管支持構造によって、配管が建造物内で吊り下げられて配設された状態の概略を説明する側面図である。
【図６】従来の配管支持部材の概略を説明する図であり、（ａ）は平面図、（ｂ）は（ａ）のＶＩ−ＶＩ線断面図である。
【図７】従来の配管支持部材によって、配管が下方に屈曲する部分を支持する場合の概略を説明する図である。
【発明を実施するための形態】
【００２８】
次に、本発明の実施の形態について、図１〜図５に基づいて説明する。
【００２９】
なお、本実施の形態において、配管支持部材によって支持される配管が、建造物内で吊り下げられて配設される空調装置の配管である場合を例として説明する。
【００３０】
図１は、本実施の形態に係る配管支持部材の概略を説明する平面図であり、図２（ａ）は図１のＡ矢視図、図２（ｂ）は図１のＢ矢視図である。
【００３１】
図示のように、配管支持部材１０は、矢線Ｌで示す図示しない配管の長尺方向に延在する平面視で略矩形に形成された支持プレート２０を主要構成として備える。
【００３２】
この支持プレート２０は、本実施の形態では可撓性のある樹脂製であって、その表面は、長尺方向Ｌに延在する複数の凸部２１が、矢線Ｗで示す支持プレート２０の幅方向において所定間隔をおいて配列されることによって、起伏が連続する凹凸状に形成される。
【００３３】
この支持プレート２０は、本実施の形態では、長尺方向Ｌの両端縁２０ａ、２０ａが凹状に切り欠かれて互いに対向して形成された、後述する吊金具４０をガイドする一対の第１ガイド部２２、２２、及び一対の第２ガイド部２３、２３を有する。
【００３４】
さらに、この支持プレート２０には、長尺方向Ｌの支持プレート２０の中央位置Ｃから長尺方向Ｌの一方側に偏位した偏位位置Ｃ１に、支持プレート２０の表面から突出するブロック状の基部３０が形成されている。
【００３５】
本実施の形態では、この基部３０を起点として、支持プレート２０から離間して長尺方向Ｌの一方側に向かって延在する第１係合部３１が形成されている。この第１係合部３１は、基部３０を起点とする基端３１ａ及び先端３１ｂを有する側面視で略アーチ状に形成される。
【００３６】
この第１係合部３１の先端３１ｂと支持プレート２０との間が離間することによって、入口ｄ１が形成され、第１係合部３１が支持プレート２０から離間して略アーチ状に形成されることから、第１係合部３１と支持プレート２０との間に、入口ｄ１から連続する間隙Ｄ１が形成される。
【００３７】
一方、本実施の形態では、基部３０を起点として、支持プレート２０から離間して長尺方向Ｌの他方側に向かって延在して、第１係合部３１と離反する第２係合部３３が形成されている。この第２係合部３３は、基部３０を起点とする基端３３ａ及び先端３３ｂを有する側面視で略アーチ状に形成される。
【００３８】
この第２係合部３３の先端３３ｂと支持プレート２０との間が離間することによって、入口ｄ２が形成され、第２係合部３２が支持プレート２０から離間して略アーチ状に形成されることから、第２係合部３３と支持プレート２０との間に、入口ｄ２から連続する間隙Ｄ２が形成される。
【００３９】
第１係合部３１の先端３１ｂが位置する支持プレート２０の対応する位置には、第１係合部３１の先端３１ｂの一方側に立設されるように、第１係止部３２が形成される。
【００４０】
図２（ｂ）で示すように、第１係止部３２は、第１係合部３１の先端３１ｂの側方に位置する立壁部３２Ａ、上面３２Ｂａ及び下面３２Ｂｂを有して立壁部３２Ａから幅方向ＷにおけるＷ１方向に屈曲して突出するフック部３２Ｂを備え、正面視で逆Ｌ字状に形成される。
【００４１】
第１係合部３１が、幅方向ＷにおけるＷ１方向へ不意に揺動すると、先端３１ｂが第１係止部３２の立壁部３２Ａに当接して、それ以上の揺動が規制される。一方、第１係合部３１の先端３１ｂを幅方向ＷにおけるＷ１方向へ可動させて、第１係止部３２の上面３２Ｂａで摺動させながら下面３２Ｂｂに当接させると、第１係合部３１が第１係止部３２のフック部３２Ｂに係止される。
【００４２】
同様に、第２係合部３３の先端３３ｂが位置する支持プレート２０の対応する位置には、第２係合部３３の先端３３ｂの一方側に立設されるように、第２係止部３４が形成される。
【００４３】
第２係止部３４は、第２係合部３３の先端３３ｂの側方に位置する立壁部３４Ａ、上面３４Ｂａ及び下面３４Ｂｂを有して立壁部３４Ａから幅方向ＷにおけるＷ１方向に屈曲して突出するフック部３４Ｂを備え、正面視で逆Ｌ字状に形成される。
【００４４】
第２係合部３３が、幅方向ＷにおけるＷ１方向へ不意に揺動すると、先端３３ｂが第２係止部３４の立壁部３４Ａに当接して、それ以上の揺動が規制される。一方、第２係合部３３の先端３３ｂを幅方向ＷにおけるＷ１方向へ可動させて、第２係止部３４の上面３４Ｂａで摺動させながら下面３４Ｂｂに当接させると、第２係合部３３が第１係止部３４のフック部３４Ｂに係止される。
【００４５】
このような配管支持部材１０を用いて配管を支持する場合は、図３で示すように、配管支持部材１０を吊下部材である吊金具４０に取り付ける。これら配管支持部材１０と吊金具４０とによって、配管支持構造１が形成される。
【００４６】
吊金具４０は、本実施の形態では、図示しない建造物内に取り付けられた棒状の吊下部４１、吊下部４１にボルト４２で取り付けられた保持部４３を主要構成として備えた金属製の部材である。
【００４７】
吊下部４１は、本実施の形態では、ボルト４２が挿通される挿通孔が形成された一対の平板状の被取付部４１ａを有する被取付部材４１Ａを備える。
【００４８】
保持部４３は、本実施の形態では、第１保持部４３−１及び第２保持部４３−２を備えた半割状であって、これら第１保持部４３−１と第２保持部４３−２とがヒンジ４４を介して互いに転回可能に連結されることによって形成される。
【００４９】
第１保持部４３−１は、吊下部４１の一方の被取付部４１ａに重ね合わせられて被取付部４１ａの挿通孔と同径となる挿通孔を有する取付部片４３ａ、この取付部片４３ａから連続するとともに配管１１０の周面１１１に倣った内周面を有する保持部本体片４３ｂを備える。
【００５０】
第２保持部４３−２は、第１保持部４３−１と同様の構成を有することから、同様の構成に同一の符号を付して、その説明を省略する。
【００５１】
これら第１保持部４３−１及び第２保持部４３−２は、例えば、第１保持部４３−１の取付部片４３ａが吊下部４１の一方の被取付部４１ａに重ね合わせられつつ、ヒンジ４４を介して第２保持部４３−２を転回させて第２保持部４３−２の取付部片４３ａが吊下部４１の他方の被取付部４１ａに重ね合わせられる。
【００５２】
この状態で、一方の取付部片４３ａの挿通孔から被取付部４１ａの挿通孔を介して他方の取付部片４３ａの挿通孔に亘って、ボルト４２が挿通されて締結されることによって、一対の取付部片４３ａ、４３ａによって取付部４３Ａが構成され、一対の保持部本体片４３ｂ、４３ｂによって、正面視が略環状の保持部本体４３Ｂが構成される。
【００５３】
このような吊金具４０に、配管支持部材１０を取り付ける場合は、図３で示すように、本実施の形態では、まず、第２係合部３３の先端３３ｂを上方に持ち上げて、第２係合部３３と支持プレート２０との間の入口ｄ２を拡開させて、この入口ｄ２を介して間隙Ｄ２に保持部本体４３Ｂ、本実施の形態では第１保持部４３−１を差し込む。
【００５４】
このように、第２係合部３３と支持プレート２０との間の間隙Ｄ２に、第１保持部４３−１を差し込むことによって、配管支持部材１０を吊金具４０に容易に取り付けることができる。
【００５５】
このとき、支持プレート２０は、可撓性を有する樹脂製であってその表面が凹凸状に形成されていることから、凹凸が連続する方向に撓みやすく、吊金具４０に取り付けられると、保持部本体４３Ｂの内周面に倣って凹凸が連続する方向に撓む。
【００５６】
配管支持部材１０が吊金具４０に取り付けられると、吊金具４０の保持部４０における第１保持部４３−１の保持部本体４３Ｂが、配管支持部材１０の支持プレート２０の第２ガイド２３にガイドされて位置決めされる。これにより、配管支持部材１０による配管１１０の下方からの支持状態が、配管１１０の軸方向に偏位することが抑制される。
【００５７】
この状態において、吊金具４０の保持部４３における第１保持部４３−１を配管１１０の周面１１１に装着して、ヒンジ４４を介して第２保持部４３−２を転回させて第２保持部４３−２の取付部片４３ａを吊下部４１の他方の被取付部４１ａに重ね合わせて、第１保持部４３−１を配管１１０の周面１１１に装着する。
【００５８】
その後、一方の取付部片４３ａの挿通孔から被取付部４１ａの挿通孔を介して他方の取付部片４３ａの挿通孔に亘って、ボルト４２を挿通して締結することによって、配管１１０が建造物内で吊り下げられて配設される。配管１１０が建造物内で吊り下げられて配設された状態の側面図を、図４（ａ）で示す。
【００５９】
一方、図４（ｂ）で示すように、第２係合部３３の先端３３ｂを、上記のように幅方向ＷにおけるＷ１方向へ可動させて、第２係止部３４の上面３４Ｂａで摺動させながら下面３４Ｂｂに当接させると、第２係合部３３が第２係止部３４のフック部３４Ｂに係止される。これにより、第２係合部３３の先端３３ｂによって、保持部４３における第１保持部４３−１の保持部本体４３Ｂが強固に固定される。
【００６０】
なお、本実施の形態では、第２係合部３３において配管支持部材１０が吊金具４０に取り付けられる場合を説明したが、第１係合部３１において配管支持部材１０が吊金具４０に取り付けられてもよいことは、当然のことである。
【００６１】
ところで、配管１１０が下方に屈曲する部分は、鉛直方向への配管１１０の自重によって過大な負荷が付与される部分であることから、この屈曲する部分に吊金具４０をより近接させて配管１１０を支持することが好ましい。
【００６２】
本実施の形態に係る配管支持部材１０は、その支持プレート２０における長尺方向Ｌの中央位置Ｃから一方側に偏位した偏位位置Ｃ１に基部３０が形成され、この基部３０を起点として長尺方向Ｌの一方側に延在する第１係合部３１が形成されている。
【００６３】
したがって、図５（ａ）及び（ｂ）で示すように、配管支持部材１０が第１係合部３１において吊金具４０に取り付けられることによって、吊金具４０への取付位置を一方側に近接させることができることから、配管支持部材１０を配管１１０が下方に屈曲する部分に近接させた状態で、配管支持部材１０によって配管１１０を下方から支持することができる。
【００６４】
これにより、鉛直方向への配管１１０の自重によって過大な負荷が付与される、配管１１０が下方に屈曲する部分を適切に支持することができ、この部分の配管１１０が負荷によって劣化することを抑制することができる。
【００６５】
なお、本発明は上記実施の形態に限定されることはなく、発明の趣旨を逸脱しない範囲で種々変更可能である。上記実施の形態では、第１係合部３１及び第２係合部３３が一対、支持プレート２０に形成されている場合を説明したが、例えば、複数の第１係合部３１及び第２係合部３３が支持プレート２０の上に並列的に形成されていてもよい。
【００６６】
上記実施の形態では、配管支持部材１０（配管支持構造１）によって支持される配管１１０の部分が下方に屈曲する部分である場合を説明したが、配管１１０が屈曲する部分であれば、下方に屈曲する部分である場合だけでなく、例えば側方に屈曲したり上方に屈曲したりする部分である場合にも適用することができる。
【符号の説明】
【００６７】
１    配管支持構造
１０    配管支持部材
２０    支持プレート
３０    基部
３１    第１係合部
３１ｂ    先端
３２    第１係止部
３３    第２係合部
３３ｂ    先端
３４    第２係止部
４０    吊下部材（吊金具）
１１０    配管
【図１】
2018115740.tif 000003
【図２】
2018115740.tif 000004
【図３】
2018115740.tif 000005
【図４】
2018115740.tif 000006
【図５】
2018115740.tif 000007
【図６】
2018115740.tif 000008
【図７】
2018115740.tif 000009